(57)【特許請求の範囲】
【請求項１】
基部１の左右両側部にレール部２を設け、同レール部２の内側面にスライドレール溝３を設け、同基部１の後部底面から下方に固定用ダボ４を突設し、同基部１の前部から上方に固定用板５を突設し、商品縦陳列用背凭板６の後面に平面形状コ字型の可動部７を固定し、同可動部７の左右両側部に係合歯８を設け、同可動部７の後部両側面から側方に移動・回転用ダボ９を突設して、同移動・回転用ダボ９を前記スライドレール溝３に着脱自在に嵌挿し、前記固定用ダボ４を棚板ｘの孔ｘ１に着脱自在に嵌挿したことを特徴とする商品陳列器具。
【発明の詳細な説明】
【０００１】
【発明の属する技術分野】
本発明は、スーパーマーケット等で使用される商品陳列器具に関するものである。
【０００２】
【従来の技術】
スーパーマーケットにおける商品陳列の基本は、商品のアピールと在庫量削減にあり、様々な陳列形態がある。
例えば図１１に示すように据わりの良い商品例えば瓶詰ａは、棚板ｘの奥を在庫量削減のために空け、棚板ｘの前部に商品面ａ１を客側に向けて立体的に陳列している。なおｙは商品陳列棚の柱である。
また図１２（ａ）（ｂ）に示すように据わりの悪い商品例えば袋物や薄物バッケージｂ、ｃは、商品面ｂ１、ｃ１を上にした平置き積み重ねた状態に陳列している。なおｚは転び止めである。
また図１３（ａ）（ｂ）に示すように商品ｂ、ｃは、商品面ｂ１、ｃ１を客側に向けた縦向に陳列する場合もある。この場合には、棚板ｘの全スペースを使用している。
また図１４は、棚板ｘの前部に商品ｂを縦陳列し、棚板ｘの奥に予備商品ｂを置いた例である。
また図１５は、棚板ｘの前部に商品ｂを縦陳列し、棚板ｘの奥に空箱等のブロックｄを置いた例である。
【０００３】
【発明が解決しようとする課題】
前記図１１の場合には、商品ａの据わりがよく、商品のアピールと在庫量削減という基本に則った陳列を容易に行うことができるが、図１２（ａ）（ｂ）の場合、即ち、スーパーマーケットで取り扱う商品の大半を占めている袋物や薄物バッケージｂ、ｃを平置き積み重ねた場合には、最上部の商品面ｂ１、ｃ１しか表示できず、商品アピール効果を殺がれて、客の購買意欲を喚起できない。また図１２（ｃ）に示すように商品ｂが売れたときに、図１２（ｄ）に示すように棚板ｘの上に残った商品ｂを一旦持ち上げて、その下に新しい商品ｂを補充しなければならなくて、商品の前出し、後補充作業が面倒になる。
【０００４】
また図１３（ａ）（ｂ）の縦陳列の場合には、棚板ｘの全スペースに商品ｂ、ｃを陳列するので、無駄なストックを生じてしまう。また図１３（ｃ）に示すように商品ｂが売れたときに、図１３（ｄ）に示すように棚板ｘの上に残った商品ｂを前方へ移動し、棚板ｘの奥に新しい商品ｂを補充しなければならなくて、商品の前出し、後補充作業が面倒である。
また図１４や図１５の場合には、在庫、補充頻度等に問題が生じている。
本発明は前記の問題点に鑑み提案するものであり、その目的とする処は、商品の前出し、後補充作業を簡略化できる商品陳列器具を提供する点にある。
【０００５】
【課題を解決するための手段】
前記の目的を達成するために、本発明は、基部１の左右両側部にレール部２を設け、同レール部２の内側面にスライドレール溝３を設け、同基部１の後部底面から下方に固定用ダボ４を突設し、同基部１の前部から上方に固定用板５を突設し、商品縦陳列用背凭板６の後面に平面形状コ字型の可動部７を固定し、同可動部７の左右両側部に係合歯８を設け、同可動部７の後部両側面から側方に移動・回転用ダボ９を突設して、同移動・回転用ダボ９を前記スライドレール溝３に着脱自在に嵌挿し、前記固定用ダボ４を棚板ｘの孔ｘ１に着脱自在に嵌挿したことを特徴としている。
【０００６】
【発明の実施の形態】
次に本発明の商品陳列器具を図１〜図１０に示す一実施例により説明する。
図１、図２の１が基部、２、２が同基部１の左右両側部に設けたレール部、３が同レール部２の内側面に設けたスライドレール溝、４が基部１の後部底面から下方に突設した固定用ダボ、５が基部１の前部から上方に突設した固定用板で、固定用ダボ４が棚板ｘに列状に設けた孔ｘ１（図４参照）に嵌挿される。なお図４のｘ２は棚板ｘのアーム、ｘ３は棚板ｘのプライスレール、ｘ４は棚板ｘの転び止めである。
【０００７】
図１、図３の６が商品縦陳列用背凭板、７が同商品縦陳列用背凭板６の後面に固定した平面形状コ字型の可動部、８が同可動部７の左右両側部に設けた係合歯、９が同可動部７の後部両側面から側方に突設した移動・回転用ダボで、この移動・回転用ダボ９、９が前記スライドレール溝３、３に着脱自在に嵌挿される。
【０００８】
次に前記商品陳列器具の作用を説明する。
商品縦陳列用背凭板６の可動部７に設けた移動・回転用ダボ９、９を基部１に設けたスライドレール溝３、３に摺動自在に嵌挿し、基部１に設けた固定用ダボ４を棚板ｘに設けた孔ｘ１に嵌挿して、本商品陳列器具を棚板ｘ上にセットし、商品縦陳列用背凭板６と棚板ｘの転び止めｘ４との間の棚板ｘ上に袋物や薄物バッケージｂ（またはｃ）を縦陳列する。この商品満載状態を図１０（イ）に示した。
【０００９】
この状態から商品ｂが売れると図１０（ロ）の状態になり、棚板ｘの前部に空きスペースが生じる。
この状態になると、商品縦陳列用背凭板６を持ち上げ（図８の矢印Ａ参照）、同背凭板６及び可動部７を移動・回転用ダボ９、９を中心に上方に回転して、可動部７に設けた係合歯８を基部１に設けた固定用板５から外して、背凭板６及び可動部７を前方に移動させる。このとき、移動・回転用ダボ９、９はスライドレール溝３、３内を摺動する。これが図１０（ハ）の器具前出しである。
【００１０】
そして図１０（ニ）に示すように商品が完売になると、本商品陳列器具を図１０（ホ）に示すように当初位置まで後退させ、図１０（ヘ）に示すように商品縦陳列用背凭板６と棚板ｘの転び止めｘ４との間の棚板ｘ上に袋物や薄物バッケージｂ（またはｃ）を縦陳列する。
【００１１】
【発明の効果】
本発明の商品陳列器具は前記のように商品縦陳列用背凭板の可動部に設けた移動・回転用ダボを基部に設けたスライドレール溝に摺動自在に嵌挿し、基部に設けた固定用ダボを棚板に設けた孔に嵌挿して、本商品陳列器具を棚板上にセットし、商品縦陳列用背凭板と棚板の転び止めとの間の棚板上に商品を縦陳列した状態から商品が売れて、棚板の前部に空きスペースが生じると、商品縦陳列用背凭板を持ち上げ、同背凭板及び可動部を移動・回転用ダボを中心に上方に回転して、可動部に設けた係合歯を基部に設けた固定用板から外して、背凭板及び可動部を前方に移動させ、商品が完売になると、本商品陳列器具を当初位置まで後退させ、商品縦陳列用背凭板と棚板ｘの転び止めとの間の棚板上に商品を縦陳列するので、商品の前出し、後補充作業を簡略化できる。
【図面の簡単な説明】
【図１】（ａ）は本発明の商品陳列器具の一実施例を前方から見た斜視図、（ｂ）は後方から見た斜視図、（ｃ）は係合歯の離脱状態を示す斜視図である。
【図２】（ａ）は基部を前方から見た斜視図、（ｂ）は後方から見た斜視図である。
【図３】（ａ）は商品縦陳列用背凭板を前方から見た斜視図、（ｂ）は後方から見た斜視図である。
【図４】本商品陳列器具の使用状態を示す斜視図である。
【図５】図４の矢視Ａ−Ａ線に沿う縦断側面図である。
【図６】図４の矢視Ｂ−Ｂ線に沿う縦断側面図である。
【図７】図４の矢視Ｃ−Ｃ線に沿う縦断側面図である。
【図８】本商品陳列器具の係合歯離脱状態を示す縦断側面図である。
【図９】商品陳列状態を示す斜視図である。
【図１０】（イ）〜（ヘ）は商品の補充要領を示す説明図である。
【図１１】従来の据わりの良い商品の陳列状態を示す説明図である。
【図１２】（ａ）〜（ｄ）は従来の据わりの悪い商品の平積み陳列、補充状態を示す説明図である。
【図１３】（ａ）〜（ｄ）は従来の据わりの悪い商品の縦陳列、補充状態を示す説明図である。
【図１４】従来の棚板前部に商品を縦陳列し、棚板の奥に予備商品ｂを置いた説明図である。
【図１５】従来の棚板前部に商品を縦陳列し、棚板の奥に空箱等のブロックを置いた説明図である。
【符号の説明】
１      基部
２      レール部
３      スライドレール溝
４      固定用ダボ
５      固定用板
６      商品縦陳列用背凭板
７      商品縦陳列用背凭板６の可動部
８      係合歯
９      移動・回転用ダボ
ｘ      棚板
ｘ１    棚板ｘに設けた孔
ｘ２    棚板ｘのアーム
ｘ３    棚板ｘのプライスレール
ｘ４    棚板ｘの転び止め
【図１】
0003591512.tif 000002
【図２】
0003591512.tif 000003
【図３】
0003591512.tif 000004
【図４】
0003591512.tif 000005
【図５】
0003591512.tif 000006
【図６】
0003591512.tif 000007
【図７】
0003591512.tif 000008
【図８】
0003591512.tif 000009
【図９】
0003591512.tif 000010
【図１０】
0003591512.tif 000011
【図１１】
0003591512.tif 000012
【図１２】
0003591512.tif 000013
【図１３】
0003591512.tif 000014
【図１４】
0003591512.tif 000015
【図１５】
0003591512.tif 000016